(57)【要約】【課題】この発明は、重量が軽く、組立作業も簡単で、しかも天然資源の枯渇を可及的に防止することができる運搬用パレットを提供する。【解決手段】この発明の運搬用パレットは、サイドブロック１１を、所定のピッチで配設された複数の角型ブロック１３と、この複数の角型ブロック１３を両側から挟持する一対の側板１４，１５とにより形成し、板材１２を角型ブロック１３の上下面に固着手段１６を介して固着するようにした。【選択図】  図１
2004250031.tif 000002
【特許請求の範囲】
【請求項１】
所定のピッチで複数本併設されたサイドブロックの上下に、固着手段を介し所定のピッチで複数枚の板材を固着するようにした運搬用パレットにおいて、
前記サイドブロックを、所定のピッチで配設された複数の角型ブロックと、該複数の角型ブロックを両側から挟持すべく該角型ブロックに固着される一対の側板とにより形成するとともに、
前記板材を前記角型ブロックの上下面に固着手段を介して固着するようにしたことを特徴とする運搬用パレット。
【請求項２】
前記固着手段は、釘あるいはネジであることを特徴とする請求項１に記載の運搬用パレット。
【請求項３】
前記板材の下面には補強用の合成樹脂が塗布されることを特徴とする請求項１に記載の運搬用パレット。
【発明の詳細な説明】
【０００１】
【発明の属する技術分野】
この発明は、重量のある物品を運搬する場合に使用する運搬用パレットの改良に関する。
【０００２】
【従来の技術】
従来から、フォークリフトを使用して重量のある物品をトラック等の運送用機器に搭載する場合は、通常、物品に損傷を与えることなく当該物品をトラックに搭載することが必要である。
【０００３】
そのため、従来では物品を一旦運搬用パレット上に搭載し、次にこの運搬用パレットにフォークリフトのフォークを嵌挿させて物品を吊り上げ、その後、この物品を運搬用パレットごとトラックに搭載するようにしている。
【０００４】
図３は上述した運搬用パレットの従来例を示す概念斜視図である。
【０００５】
この運搬用パレット１は、重量のある天然の木製の無垢材からなるサイドブロック２からなり、図示の如く通常はこのサイドブロック２を３本並設し、その上下面に複数枚の板材３を釘、ネジ等の締結手段４を使用して所定のピッチで打ち付け固定するようにしている。
【０００６】
【発明が解決しようとする課題】
ところで、上述した従来の運搬用パレット１によると、サイドブロック２を重量のある天然の木製の無垢材により形成するから、パレットそのものの重量も重く、そのためパレットの組立作業が難しい難点がある。また自然破壊の低減、及び天然資源の枯渇を防止する観点から、天然の太い無垢の木材で形成されたサイドブロック２の使用を制限せざるを得ない場合もある。
【０００７】
この発明は、上述した事情に鑑み、重量が軽く、組立作業も簡単で、しかも天然資源の枯渇を可及的に防止することができる運搬用パレットを提供することを目的とする。
【０００８】
【課題を解決するための手段】
上述した課題を解決するため、この発明では、所定のピッチで複数本併設されたサイドブロックの上下に、固着手段を介し所定のピッチで複数枚の板材を固着するようにした運搬用パレットにおいて、前記サイドブロックを、所定のピッチで配設された複数の角型ブロックと、該複数の角型ブロックを両側から挟持すべく該角型ブロックに固着される一対の側板とにより形成するとともに、前記板材を前記角型ブロックの上下面に固着手段を介して固着するようにしている。
【発明の実施の形態】
以下、この発明に係る運搬用パレットの一実施例を詳述する。
【０００９】
図１はこの発明に係る運搬用パレット１０の概念組立分解斜視図である。
【００１０】
この運搬用パレット１０は、３本のサイドブロック１１と、このサイドブロッ１１の上下に固着される複数枚の板材１２とから構成されている。
【００１１】
このうち、サイドブロック１１は、所定のピッチで併設された複数個（実施例では５個）の角型ブロック１３と、この角型ブロック１３を両側から挟持するように配設された一対の側板１４、１５とから構成されている。
【００１２】
そして、この一対の側板１４、１５は、釘、ネジ等の固着手段１６により、各角型ブロック１３に固着される。
【００１３】
一方、サイドブロック１１に配置される板材１２のうち、上面に配設される板材１２は、矢印Ａで示すように各サイドブロック１１の角型ブロック１３に対して５枚配設され、それらは釘、ネジ等の固着手段１６（図２）により、各角型ブロック１３の上面に固着される。
【００１４】
同様に、サイドブロック１１に配置される板材１２のうち、下面に配設される三枚の板材１２も矢印Ｂで示すように釘、ネジ等の固着手段１６（図２）により、各角型ブロック１３の下面に固着される。
【００１５】
このように、上下の各板材１２が各サイドブロック１１の角型ブロック１３に固着手段１６により固着されると、図２で示すように各サイドブロック１１と板材１２とからなる本願発明に係る運搬用パレット１０が形成されることとなる。
【００１６】
なお、この運搬用パレット１０を組み立てるには、予め使用する場所へ向けバラの状態にあるサイドブロック１１と板材１２とをトラック等の運送用機器を介して運搬し、その後、その使用場所にて、サイドブロック１１と板材１２とを釘、ネジ等の固着手段１６を用いて互いに固着し組み立てるようにしてもよい。
【００１７】
こうすると、予め組み立て終了した運搬用パレット１０をトラック等の運送用機器を使用して目的地まで搬送する場合に比較して、大量のサイドブロック１１と板材１２とをトラック等の運送用機器して目的地に搬送することができ、この結果一回の運搬搬送で大量枚数の運搬用パレット１０を目的地で得ることができる。
【００１８】
なお、上記実施例では、板材１２を単なる木材の薄板で構成したが、この発明は上記実施例に限定されることなく、板材１２の下面に合成樹脂、たとえばＰＥＴ（ポリエチレンテレフタレート）等を塗布し、当該板材１２の機械的強度を高めるようにしてもよい。
【００１９】
また上記実施例では板材１２の取り付け枚数を上面５枚、下面３枚に設定したが、この発明は上記実施例に限定されることなく、上面７枚、下面４枚でもよく、その枚数に限定されない。
【００２０】
【発明の効果】
以上説明したように、この発明の運搬パレットでは、サイドブロックを所定のピッチで配設された複数の角型ブロックと、この複数の角型ブロックを両側から挟持すべく、この角型ブロックに固着される一対の側板とにより形成するとともに、板材を前記角型ブロックの上下面に固着手段を介して固着するようにしたから、木製の太い天然の無垢材で形成されたサイドブロックを使用することがなく、また重量も軽くなるから、天然資源の枯渇を可及的に防止し、しかも組み立て及びその運搬が簡単な運搬用パレットを提供することができる。
【図面の簡単な説明】
【図１】図１はこの発明に係る運搬用パレットの組立概念斜視図。
【図２】図２はこの発明に係る運搬用パレットの概念斜視図。
【図３】図３は従来の運搬用パレットの斜視図である。
【符号の説明】
１０…運搬用パレット
１１…サイドブロック
１２…板材
１３…角型ブロック
１４、１５…側板
１６…固着手段
【図１】
2004250031.tif 000003
【図２】
2004250031.tif 000004
【図３】
2004250031.tif 000005